【手続補正書】
【提出日】平成17年12月19日(2005.12.19)
【手続補正１】
【補正対象書類名】明細書
【補正対象項目名】請求項１
【補正方法】変更
【補正の内容】
【請求項１】  屈曲形バルブを有する発光管と、
基板及びこの基板に実装された電子部品を有し、高周波電力を前記発光管に出力する点灯装置と、
一端側に口金が設けられ、他端側に前記発光管を保持する保持部を有し、前記基板を装着して前記点灯装置を収容したカバー体と、
前記発光管のバルブ外径よりも細く形成されるように前記発光管端部から突出して中間部に屈曲部を有し、この屈曲部より先端側部分が前記屈曲部より前記発光管側の根元部に対して前記口金の中心を通る軸線に近づけて配置され、内部にアマルガムを収容した細管と、を具備していることを特徴とする電球形蛍光ランプ。
【手続補正２】
【補正対象書類名】明細書
【補正対象項目名】請求項２
【補正方法】変更
【補正の内容】
【請求項２】  屈曲形バルブを有する発光管と、
基板及びこの基板に実装された電子部品を有し、高周波電力を前記発光管に出力する点灯装置と、
一端側に口金が設けられ、他端側に前記発光管を保持する保持部を有し、前記基板を装着して前記点灯装置を収容したカバー体と、
前記発光管のバルブ外径よりも細く形成され、前記発光管の端部から突出して中間部に屈曲部を有し、この屈曲部より先端側部分が前記屈曲部より前記発光管側の根元部に対して前記口金の中心を通る軸線に近づけて配置され、かつ、内部にアマルガムを収容し、前記屈曲部を前記基板よりも前記発光管側に配置するとともに、前記先端側部分が前記口金側に延在された細管と、を具備していることを特徴とする電球形蛍光ランプ。
【手続補正３】
【補正対象書類名】明細書
【補正対象項目名】００１２
【補正方法】変更
【補正の内容】
【００１２】
【課題を解決するための手段】
請求項１に係る発明の電球形蛍光ランプは、屈曲形バルブを有する発光管と、基板及びこの基板に実装された電子部品を有し、高周波電力を前記発光管に出力する点灯装置と、一端側に口金が設けられ、他端側に前記発光管を保持する保持部を有し、前記基板を装着して前記点灯装置を収容したカバー体と、前記発光管のバルブ外径よりも細く形成されるように前記発光管端部から突出して中間部に屈曲部を有し、この屈曲部より先端側部分が前記屈曲部より前記発光管側の根元部に対して前記口金の中心を通る軸線に近づけて配置され、内部にアマルガムを収容した細管と、を具備していることを特徴とする。
【手続補正４】
【補正対象書類名】明細書
【補正対象項目名】００１３
【補正方法】変更
【補正の内容】
【００１３】
請求項２に係る発明の電球形蛍光ランプは、屈曲形バルブを有する発光管と、基板及びこの基板に実装された電子部品を有し、高周波電力を前記発光管に出力する点灯装置と、一端側に口金が設けられ、他端側に前記発光管を保持する保持部を有し、前記基板を装着して前記点灯装置を収容したカバー体と、前記発光管のバルブ外径よりも細く形成され、前記発光管の端部から突出して中間部に屈曲部を有し、この屈曲部より先端側部分が前記屈曲部より前記発光管側の根元部に対して前記口金の中心を通る軸線に近づけて配置され、かつ、内部にアマルガムを収容し、前記屈曲部を前記基板よりも前記発光管側に配置するとともに、前記先端側部分が前記口金側に延在された細管と、を具備していることを特徴とする。
【手続補正５】
【補正対象書類名】明細書
【補正対象項目名】００２２
【補正方法】変更
【補正の内容】
【００２２】
また、点灯装置の基板による遮熱効果は、基板が発光管の端部を覆い、かつ、好ましくは貫通孔や切り欠き等によって基板に形成された細管挿通部を介して細管の先端側部分を口金側に延在させることにより確実に得ることができる。特に、基板が発光管の全端部を覆うことで、発光管の全端部を覆っていない場合と比べて発光管の放射熱が効率良く遮断されて口金側の空間に熱が伝わり難くなる。このとき、屈曲部を基板よりも発光管側に配置するとともに、先端側部分を細管挿通部に挿通させて口金側に延在されるように細管を設けることで、細管挿通部の大きさを細管の先端側部分が挿通する程度の大きさにすることができ、この遮熱効果が大きく損なわれることを抑制することができる。その場合、細管挿通部と細管との離間はできるだけ小さく、好ましくは１ｍｍ以下にするとよい。なお、発光管の全端部を覆うとは、発光管に複数の端部が形成されている場合には、各端部の全ての端面を完全に覆う必要はなく、基板が遮熱に必要な発光管の端部の端面の一部を覆っていればよい。例えば、発光管が複数の屈曲バルブを並設して形成されている場合には、バルブ軸中心よりも発光管の外周側に位置する部分は覆わなくても十分な遮熱効果が得られる。
【手続補正６】
【補正対象書類名】明細書
【補正対象項目名】００２３
【補正方法】変更
【補正の内容】
【００２３】
さらに、点灯装置の基板による遮熱効果は、基板が発光管の端部を覆い、かつ、好ましくは貫通孔や切り欠き等によって基板に形成された細管挿通部を介して細管の先端側部分及び屈曲部を口金側に延在させることによっても得ることができる。その場合も、細管挿通部と細管との離間はできるだけ小さく、好ましくは１ｍｍ以下にするとよい。
【手続補正７】
【補正対象書類名】明細書
【補正対象項目名】００４１
【補正方法】変更
【補正の内容】
【００４１】
しかも、請求項２の発明によれば、細管の中間部に設けられた屈曲部を基板よりも発光管側に配置するとともに、この屈曲部より先端側部分が口金側に延在されているので、組立性が良好であるとともに基板による遮熱効果の低下を抑制することができる。
【手続補正８】
【補正対象書類名】明細書
【補正対象項目名】００４２
【補正方法】削除
【補正の内容】
【手続補正９】
【補正対象書類名】明細書
【補正対象項目名】００４３
【補正方法】削除
【補正の内容】
【手続補正１０】
【補正対象書類名】明細書
【補正対象項目名】００５７
【補正方法】変更
【補正の内容】
【００５７】
この電球形蛍光ランプ１０は、図１に示すように、発光管２０と、細管３０ａ〜３０ｂと、カバー体４０と、点灯装置５０と、グローブ６０とを備えている。カバー体４０は、カバー本体４１と、このカバー本体４１の一端側に設けられた口金４２と、カバー本体４１の他端側に設けられた保持部としてのホルダ４３とを備えている。カバー本体４１及びホルダ４３は、例えばポリブチレンテレフタレート（ＰＢＴ）等の耐熱性合成樹脂等にて形成されている。カバー本体４１は、上端から下端に拡開状に延長された略円錐状の回転体形状をなしているとともに、その上端に略円筒形状部分が一体に設けられている。カバー本体４１の略円筒形状部分には略円筒形状の口金４２が被され、接着またはかしめ等により固定されている。また、カバー体４０は、その内部は略円錐形状の点灯装置収容空間を有している。
【手続補正１１】
【補正対象書類名】明細書
【補正対象項目名】００８１
【補正方法】変更
【補正の内容】
【００８１】
この細管挿通孔５２は、組立て後において、後述する第２〜第５の実施形態のように、屈曲部３２ａの根元部３２ｂ側端部と先端側部分３２ｃ側端部とを結ぶ直線ｍが電解コンデンサ５３ａと他の電子部品５３とを電気的に接続する一対のリード線５５の基板接続部５５ａ同士を結ぶ直線ｎと平行又は直交する位置に設けるのが好ましい。
【手続補正１２】
【補正対象書類名】明細書
【補正対象項目名】００８６
【補正方法】変更
【補正の内容】
【００８６】
この電球形蛍光ランプ１０は、図１に示すように、細管３０ａの屈曲部３２ｂを基板５１よりも発光管２０側に配置するとともに、先端側部分３２ｃを細管挿通孔５２に挿通させて口金４２側に延在させるものである。つまり、この電球形蛍光ランプ１０では、細管３０ａを基板５１の細管挿通孔５２に挿通させる場合、細管３０ａの先端側部分３２ｃを口金４２の中心Ｃ１を通る軸線ｌと平行な方向（発光管２０の長さ方向と平行な方向）に相対移動させて基板５１の細管挿通孔５２に挿通させることができる。
【手続補正１３】
【補正対象書類名】明細書
【補正対象項目名】００９６
【補正方法】変更
【補正の内容】
【００９６】
これは、例えば、図６（ａ）に示すように、細管３０ａの先端側部分３２ｃにポリエチレングリコール（融点７０℃）等の低融点物質３５を液密状態で封入する、または、図６（ｂ）に示すように、ガラス製の中空キャップ３６に低融点物質３５を充填し、この中空キャップ３６の開口部と先端側部分３２ｃとを溶着することで実現できる。ランプ点灯時は、発光管２０から照射される熱により液化する。ランプを消灯して細管３０ａの先端側部分３２ｃの温度が下がってくると、ポリエチレングリコール等の低融点物質３５は熱エネルギーを放出しながら凝固する。この熱エネルギーにより、主アマルガム３１は保温されて時間当たりの温度低下は緩やかになり、再点灯後の光束の立上がり特性が改善される。
【手続補正１４】
【補正対象書類名】明細書
【補正対象項目名】００９８
【補正方法】変更
【補正の内容】
【００９８】
この照明器具１は、天井Ｃに埋め込まれたダウンライトであり、その器具本体２に取付けられたソケット３には蛍光ランプ１０が取付けられている。
【手続補正１５】
【補正対象書類名】明細書
【補正対象項目名】００９９
【補正方法】変更
【補正の内容】
【００９９】
上述のように規定された電球形蛍光ランプ１０を一般照明用電球の照明器具１に用いた場合、電球形蛍光ランプ１０の配光が一般照明用電球の配光と近似することで、器具本体２内に配設されたソケット３近傍の反射体への光照射量が十分に確保され、反射体の光学設計どおりの機器特性を得ることができる。しかも電球スタンドのように内部光源のイメージが布製等の光拡散性カバーに映し出される照明器具であっても、電球形蛍光ランプ１０の配光が一般照明用電球の配光と近似することで違和感なく使用できる。
【手続補正１６】
【補正対象書類名】明細書
【補正対象項目名】０１０５
【補正方法】変更
【補正の内容】
【０１０５】
図９は、その測定結果を示す図であり、点灯開始から経過時間毎の光束の変化を表している。図において、線ａが本実施形態を、線ｂが比較例１を、線ｃが比較例２を、線ｄが比較例３を夫々示している。点灯直後の光束は、
比較例２＞本実施形態＞比較例１＞従来例
の順番となった。
【手続補正１７】
【補正対象書類名】明細書
【補正対象項目名】０１１１
【補正方法】変更
【補正の内容】
【０１１１】
しかも、細管３０ａの屈曲部３２ｂを基板５１よりも発光管２０側に配置するとともに、細管３０ａの先端側部分３２ｃを細管挿通孔５２に挿通させて口金４２側に延在させているため、細管挿通孔５２の大きさは先端側部分３２ｃが挿通可能な大きさでよく、基板５１の遮熱効果の低減を抑制することができる。
【手続補正１８】
【補正対象書類名】明細書
【補正対象項目名】０１１６
【補正方法】変更
【補正の内容】
【０１１６】
また、本実施形態では、図１３に示すように、屈曲部３２ｂの根元部３２ｄ側端部と先端側部分３２ｃ側端部とを結ぶ直線ｍが電解コンデンサ５３ａと他の電子部品５３とを電気的に接続する一対のリード線５５の基板接続部５５ａ同士を結ぶ直線ｎと平行且つ同一線上となるように、基板５１の切り欠き部５２ａの位置が設定されている。そして、この基板５１の切り欠き部５２ａが発光管挿通部４４に開放する切り欠き部４５の上方に位置するように、基板５１とホルダ４３との位置関係が設定されている。他の構成は、上述した第１の実施形態と同じであるから、重複する説明は図１０〜図１２に同符号を付して省略する。
【手続補正１９】
【補正対象書類名】明細書
【補正対象項目名】０１１７
【補正方法】変更
【補正の内容】
【０１１７】
本実施形態によれば、第１の実施形態と同様、主アマルガム３１が比較的温度の低いカバー体４０内の口金４２側の空間に配置されるため、水銀蒸気圧が高い特性を有する主アマルガム３１を使用することが可能となり、簡単な構成で光束立上がり特性を向上させることができる。
【手続補正２０】
【補正対象書類名】明細書
【補正対象項目名】０１２０
【補正方法】変更
【補正の内容】
【０１２０】
さらに、本実施形態によれば、屈曲部３２ｂの根元部３２ｄ側端部と先端側部分３２ｃ側端部とを結ぶ直線ｍが電解コンデンサ５３ａと他の電子部品５３とを電気的に接続する一対のリード線５５の基板接続部５５ａ同士を結ぶ直線ｎと平行となるように、屈曲部３２ｂが保持部の切り欠き部４５に通されるとともに、基板５１の切り欠き部５２ａに通される。そのため、組立の際に細管３０ａが電解コンデンサ５３ａに触れたとしても、一対のリード線５５は直線ｎと平行な方向からの力では撓み難いことから、電解コンデンサ５３ａが傾き難い。したがって、カバー体４０に点灯装置５０を収容させる際に、電解コンデンサ５３ａがカバー体４０の内壁面に接触して前記収容を阻害するのを抑制することができるので、組立性がさらに向上する。
【手続補正２１】
【補正対象書類名】明細書
【補正対象項目名】０１２２
【補正方法】変更
【補正の内容】
【０１２２】
本実施形態では、屈曲部３２ｂの根元部３２ｄ側端部と先端側部分３２ｃ側端部とを結ぶ直線ｍが電解コンデンサ５３ａと他の電子部品５３とを電気的に接続する一対のリード線５５の基板接続部５５ａ同士を結ぶ直線ｎと直交するように、基板５１の切り欠き部５２ａの位置が設定されている。他の構成は、上述した第２の実施形態と同じであるから、重複する説明は図１４に同符号を付して省略する。
【手続補正２２】
【補正対象書類名】明細書
【補正対象項目名】０１２３
【補正方法】変更
【補正の内容】
【０１２３】
本実施形態によれば、第２の実施形態と同様の効果が得られる。また、本実施形態によれば、屈曲部３２ｂの根元部３２ｄ側端部と先端側部分３２ｃ側端部とを結ぶ直線ｍが電解コンデンサ５３ａと他の電子部品５３とを電気的に接続する一対のリード線５５の基板接続部５５ａ同士を結ぶ直線ｎと直交するように、屈曲部３２ｂが保持部の切り欠き部４５に通されるとともに、基板５１の切り欠き部５２ａに通される。そのため、組立の際に細管３０ａが電解コンデンサ５３ａに触れたとしても、一対のリード線５５は直線ｎと直交する方向からの力では撓み易いことから、リード線５５が撓んで電解コンデンサ５３ａが細管３０ａから離れる方向に容易に倒れる。したがって、リード線５５の基板接続部５５ａに歪みがかかり難く、リード線５５と基板５１上の配線とを電気的に接続するはんだ等に与えるストレスが低減されるので、電解コンデンサ５３ａと他の電子部品５３との間の電気的な接触不良を抑制することができる。
【手続補正２３】
【補正対象書類名】明細書
【補正対象項目名】０１２６
【補正方法】変更
【補正の内容】
【０１２６】
また、本実施形態では、細管３０ａの屈曲部３２ｂを基板５１よりも口金４２側に配置させている。そのため、基板５１の細管挿通部は、細管３０ａの先端側部分３２ｃを前記軸線ｌと平行な方向に相対移動させたときに細管３０ａの先端側部分３２ｃだけでなく、細管３０ａの屈曲部３２ｂも挿通可能であるように長円形状に形成するとよい。この実施形態では、細管挿通部を長円形状の挿通孔５２ｂとしている。なお、細管挿通部は切り欠き部としてもよい。
【手続補正２４】
【補正対象書類名】明細書
【補正対象項目名】０１２７
【補正方法】変更
【補正の内容】
【０１２７】
また、本実施形態では、図１７に示すように、電解コンデンサ５３ａは挿通孔５２ｂから離れるように基板５１の中心Ｏからずらして立設されている。さらに、屈曲部３２ｂの根元部３２ｄ側端部と先端側部分３２ｃ側端部とを結ぶ直線ｍが電解コンデンサ５３ａと他の電子部品５３とを電気的に接続する一対のリード線５５の基板接続部５５ａ同士を結ぶ直線ｎと平行且つ同一線上となるように、基板５１の挿通孔５２ｂの位置が設定されている。他の構成は、上述した第１の実施形態と同じであるから、重複する説明は図１５〜図１７に同符号を付して省略する。
【手続補正２５】
【補正対象書類名】明細書
【補正対象項目名】０１２８
【補正方法】変更
【補正の内容】
【０１２８】
本実施形態によれば、第１の実施形態と同様に、主アマルガム３１が比較的温度の低いカバー体４０内の口金４２側の空間に配置されるため、水銀蒸気圧が高い特性を有する主アマルガム３１を使用することが可能となり、簡単な構成で光束立上がり特性を向上させることができる。
【手続補正２６】
【補正対象書類名】明細書
【補正対象項目名】０１３３
【補正方法】変更
【補正の内容】
【０１３３】
さらに、本実施形態によれば、発光管２０の端部を発光管挿通部４４に挿通させるとき、前記直線ｍが前記直線ｎと平行となるように、屈曲部３２ｂが基板５１の挿通孔５２ｂに通される。そのため、電解コンデンサ５３ａと細管３０ａとが接触したとしても、第２の実施形態と同様に、電解コンデンサ５３ａが傾き難いので、組立性をさらに向上させることができる。
【手続補正２７】
【補正対象書類名】明細書
【補正対象項目名】０１３５
【補正方法】変更
【補正の内容】
【０１３５】
本実施形態では、屈曲部３２ｂの根元部３２ｄ側端部と先端側部分３２ｃ側端部とを結ぶ直線ｍが電解コンデンサ５３ａと他の電子部品５３とを電気的に接続する一対のリード線５５の基板接続部５５ａ同士を結ぶ直線ｎと直交するように、基板５１の切り欠き部５２ａの位置が設定されている。他の構成は、上述した第４の実施形態と同じであるから、重複する説明は図１４に同符号を付して省略する。
【手続補正２８】
【補正対象書類名】明細書
【補正対象項目名】０１３６
【補正方法】変更
【補正の内容】
【０１３６】
本実施形態によれば、第４の実施形態と同様の効果が得られる。また、本実施形態によれば、発光管２０の端部を発光管挿通部４４に挿通させるとき、前記直線ｍが前記直線ｎと平行となるように、屈曲部３２ｂが基板５１の挿通孔５２ｂに通される。そのため、電解コンデンサ５３ａと細管３０ａとが接触したとしても、第３の実施形態と同様に、リード線５５の基板接続部５５ａに歪みがかかり難いので、電解コンデンサ５３ａと他の電子部品５３との間の電気的な接触不良を抑制することができる。
【手続補正２９】
【補正対象書類名】明細書
【補正対象項目名】０１３８
【補正方法】変更
【補正の内容】
【０１３８】
第２及び第４の実施形態では、屈曲部３２ｂの根元部３２ｄ側端部と先端側部分３２ｃ側端部とを結ぶ直線ｍ及び一対のリード線５５の基板接続部５５ａ同士を結ぶ直線ｎとが同一線上となるように設定されているが、前記直線ｍと前記直線ｎとは平行であれば同一線上になくてもよい。
【手続補正３０】
【補正対象書類名】明細書
【補正対象項目名】０１４３
【補正方法】変更
【補正の内容】
【０１４３】
請求項８に係る発明の照明器具によれば、請求項１ないし７のいずれか１項に記載の蛍光ランプを備えるので、簡単な構成で光束の立上がり特性を改善することができ、しかも組立性が良好な蛍光ランプを備えた照明器具が得られる。
【手続補正３１】
【補正対象書類名】明細書
【補正対象項目名】符号の説明
【補正方法】変更
【補正の内容】
【符号の説明】
１…照明器具、  １０…蛍光ランプ、  ２０…発光管、  ２１ａ，２１ｂ，２１ｃ…屈曲バルブ、  ３０ａ…細管、  ３１…主アマルガム、  ３２ｂ…屈曲部、  ４０…カバー体、  ４２…口金、  ４３…保持部（ホルダ）、  ４４…発光管挿通部、  ４５…切り欠き部、  ５０…点灯装置、  ５１…基板、  ５２…細管挿通部（細管挿通孔）、  ５３…電子部品、ｌ…軸線、  Ｃ１…口金の中心、  Ｃ２…発光管の端部の中心、  Ｃ３…細管の先端部の中心